(57)【要約】【課題】通線作業が容易である簡易な通線用具を提供する。【解決手段】通線用具１０は、管路Ｃ内にケーブルを通すことができる。通線用具１０は、長尺の線体１とブラシ体２１を備えている。線体１は、管路Ｃ内を進行して屈曲自在に弾性変形容易である。ブラシ体２１は、線体１の端部に着脱自在に取り付けられる。ブラシ体２１は、棒体２ａと複数の弾性繊維２ｂを有する。棒体２ａは、線体１の端部が挿入される穴２ｈを設ける。複数の弾性繊維２ｂは、管路Ｃの内径Ｒより小さい外周ｄを形成するように、棒体２ａの外周に放射状又は螺旋状に植設される。【選択図】図１
2009177880.tif 000002
【特許請求の範囲】
【請求項１】
管路内にケーブルを通す通線用具であって、
前記管路内を進行して屈曲自在に弾性変形容易な長尺の線体と、
この線体の端部に着脱自在に取り付けられるブラシ体と、を備え、
前記ブラシ体は、前記線体の端部が挿入される穴を設ける棒体と、前記管路の内径より小さい外周を形成するように前記棒体の外周に植設された複数の弾性繊維と、を有する通線用具。
【請求項２】
前記棒体は、前記複数の弾性繊維を放射状又は螺旋状に植設している請求項１記載の通線用具。
【発明の詳細な説明】
【技術分野】
【０００１】
本発明は、通線用具に関する。特に、光ファイバなどのケーブルを管路又はコンジット（埋設管）内に通す通線用具に関する。
【背景技術】
【０００２】
近年では、ＦＴＴＨ（Ｆｉｂｅｒ  Ｔｏ  Ｔｈｅ  Ｈｏｍｅ）、いわゆる光ファイバによる家庭向けのデータ通信サービスの進展に伴って、屋内に予め設置された管路内に光ファイバケーブルを通線する配線工事が増加している。
【０００３】
このようなＦＴＴＨの配線工事では、ＣＤ（Ｃｏｍｂｉｎｅｄ  Ｄｕｃｔ）管と呼ばれる合成樹脂製可とう管（チューブ）内に予備線が予め通線してあると、予備線を用いて屈折した細径のＣＤ管内に光ファイバケーブルを敷設することが容易である。
【０００４】
一方、ＣＤ管に予備線が準備されていないときは、鋼線又はグラスファイバなどの線体で形成された通線用具をＣＤ管の一方の管端から挿入して、他方の管端まで突出させ、通線用具の先端部に光ファイバケーブルを繋ぎ、次に、通線用具を手繰り寄せることにより、光ファイバケーブルを敷設する通線工事が行われている。
【０００５】
一般に、ＣＤ管は、屈曲自在なベローズ（蛇腹構造）管となっている。そして、ＣＤ管の内壁面に形成された複数の環状段差に、通線用具の先端部が当接して、通線作業が困難であった。したがって、通線用具の先端部に球体などを取り付けて、通線用具の進行を妨げないように工夫されていた。
【０００６】
ところで、ＣＤ管が直線状又は大きな曲率で湾曲して敷設されている場合には、先端部に球体を備える通線用具は通線作業を容易とするが、ＣＤ管が小さな曲率で湾曲して敷設されている場合には、先端部が管路の凹凸に引っかかり、通線作業が困難になるという不具合があった。
【０００７】
前述した不具合を解消するために、高圧エアーを噴射して移動する自力走行体に予備線の先端を取り付け、この自力走行体をＣＤ管内で走行させて、予備線を通線させる通線装置が発明されている（例えば、特許文献１参照）。
【０００８】
特許文献１による通線装置は、内周面に多数の環状段差が形成されたＣＤ管であっても、又、管路が小さな曲率半径で湾曲している場合であっても、通線作業が容易である、としている。
【特許文献１】特開２００２−４４８２３号公報
【発明の開示】
【発明が解決しようとする課題】
【０００９】
特許文献１による通線装置は、先端が丸みを帯びた円筒容器状に形成され、後端に複数の噴射ノズルを有する推進ヘッド（自力走行体）と、この推進ヘッドの後端に接続して高圧エアーを供給する柔軟チューブと、を備えて構成されている。
【００１０】
しかし、特許文献１による通線装置は、推進ヘッドを移動させるために、高圧エアー源が必要であるという問題がある。ＦＴＴＨの配線工事の度に、必要があるか分からないエアポンプを持参していくことは、不経済である。又、屋内工事では、エアポンプを設置できない状況に遭遇することも考えられる。したがって、管路が小さな曲率半径で湾曲している場合であっても、高圧エアー源を用いることなく、通線作業が容易である簡易な通線用具が求められる。そして、以上のことが本発明の課題といってよい。
【００１１】
本発明は、このような問題に鑑みてなされたものであり、管路が小さな曲率半径で湾曲している場合であっても、通線作業が容易である簡易な通線用具を提供することを目的とする。
【課題を解決するための手段】
【００１２】
本発明者は、弾性変形が容易な長尺の線体の先端にブラシ体を着脱自在に設けることにより、簡易な構成であり、管路が小さな曲率半径で湾曲している場合であっても、通線作業が容易であることを見出し、これに基づいて、以下のような新たな通線用具を発明するに至った。
【００１３】
（１）  管路内にケーブルを通す通線用具であって、前記管路内を進行して屈曲自在に弾性変形容易な長尺の線体と、この線体の端部に着脱自在に取り付けられるブラシ体と、を備え、前記ブラシ体は、前記線体の端部が挿入される穴を設ける棒体と、前記管路の内径より小さい外周を形成するように前記棒体の外周に植設された複数の弾性繊維と、を有する通線用具。
【００１４】
（１）の発明による通線用具は、管路内にケーブルを通す通線用具であって、長尺の線体とブラシ体を備えている。線体は、管路内を進行して屈曲自在に弾性変形容易である。ブラシ体は、線体の端部に着脱自在に取り付けられる。そして、ブラシ体は、棒体と複数の弾性繊維を有している。棒体は、線体の端部が挿入される穴を設けている。複数の弾性繊維は、管路の内径より小さい外周を形成するように、棒体の外周に植設されている。
【００１５】
ここで、管路は、ＣＤ管などの合成樹脂製可とう電線管を含んでよく、ＰＦ（Ｐｌａｓｔｉｃ  Ｆｌｅｘｉｂｌｅ  Ｃｏｎｄｕｉｔ）管などの合成樹脂製可とう電線管を含むことができる。又、管路は、金属性のベローズ管を含むこともできる。これらの管路は、いずれも可とう性を有している。
【００１６】
ケーブルは、光ファイバケーブルを含み、電線ケーブルを含むことができる。電線ケーブルは、同軸ケーブルを含み、ツイストペアケーブルを含み、コードを含んでよい。フラットケーブル及びフレキシブルケーブル（ＦＰＣ）は、芯線数が少ないときに、本発明による通線用具が適用可能と考えられる。
【００１７】
線体は、ピアノ線又はグラスファイバが考えられる。この線体は、軸方向に圧縮荷重が作用したときに、すなわち線体の先端に負荷が生じたときに座屈変形し、線体の基端を固定すれば、座屈変形が復帰する力で負荷に抗して管路内を進行できる。
【００１８】
又、この線体は、小さな曲率半径で曲げモーメントが作用しても弾性復帰できるように、適宜に線径が設定される。この線体は、所要の半径で巻回できるように、その線径を設定すれば、長尺の線体をコンパクトに収容できて便利である。
【００１９】
管路が合成樹脂製電線管、すなわち、硬質ビニール管などストレート管の場合は、この発明による線体だけで通線が容易である。つまり、本発明による線体は、既存の線体による通線用具を利用することもできる。したがって、（１）の発明による通線用具は、ブラシ体を線体の端部に着脱自在に取り付けられる構成とした。
【００２０】
棒体には、線体の端部が挿入される穴を設けてよく、棒体の穴に線体の端部を挿入して、線体を進行すれば、ブラシ体を管路に通すことができる。線体を引き戻すときに、ブラシ体が離反しないように、棒体にロック機構を設けることが好ましい。例えば、棒体の穴に貫通する雌ねじを設けて、ビスなどの締結具で線体の端部を固定してよく、ビスを緩めることにより、線体とブラシ体を分離できる。すなわち、ブラシ体が線体の端部に着脱自在に取り付けられる。
【００２１】
弾性繊維は、合成樹脂製の弾性繊維が好ましく、管路の内部が狭くなったときに、すなわち、管路の湾曲部で弾性変形する長さと繊維径を有するように設定されてよく、管路が直線状になったときに弾性繊維が復帰するように、その長さと繊維径を設定することが好ましい。
【００２２】
複数の弾性繊維は、管路の内径より小さい外周を形成するとは、後述するように複数の弾性繊維を放射状又は螺旋状に植設している形態を含んでよく、複数の弾性繊維の先端で形成される仮想の外周が管路の内径より小さいことを意味している。複数の弾性繊維の仮想の外周は、管路の内径の８割程度が好ましい。
【００２３】
（１）の発明による通線用具は、管路の内径より小さい外周を形成するように、棒体の外周に複数の弾性繊維を植設したブラシ体を備えているので、ブラシ体の軸中心が管路の軸中心に略沿って進行できる。ブラシ体の軸中心が管路の内壁に移動すると複数の弾性繊維が反発するからである。
【００２４】
したがって、（１）の発明による通線用具は、管路が小さな曲率半径で湾曲している場合であっても、ケーブルの通線作業が容易である。又、（１）の発明による通線用具は、高圧エアー源を用いることなく、配線工事が簡易である。
【００２５】
（２）  前記棒体は、前記複数の弾性繊維を放射状又は螺旋状に植設している（１）記載の通線用具。
【００２６】
棒体には、複数の弾性繊維を進行方向に対して下り傾斜するように、放射状に植設してもよい。
【発明の効果】
【００２７】
本発明による通線用具は、管路の内径より小さい外周を形成するように、棒体の外周に複数の弾性繊維を植設したブラシ体を備えているので、ブラシ体の軸中心が管路の軸中心に略沿って進行できる。本発明による通線用具は、管路が小さな曲率半径で湾曲している場合であっても、ケーブルの通線作業が容易である。
【発明を実施するための最良の形態】
【００２８】
以下、図面を参照して、本発明実施するための最良の形態を説明する。
【００２９】
図１は、本発明による通線用具の第１実施形態を示す斜視分解組立図である。図２は、前記第１実施形態による通線用具の断面図である。図３は、本発明による通線用具の第２実施形態を示す斜視分解組立図である。図４は、本発明による通線用具の第３実施形態を示す斜視分解組立図である。図５は、前記第１実施形態による通線用具の使用状態を示す断面図である。
【００３０】
最初に、本発明による通線用具の構成を説明する。図１において、第１実施形態による通線用具１０は、ＣＤ管として図示された管路Ｃ内にケーブル（図示せず）を通すことができる。通線用具１０は、長尺の線体１とブラシ体２１を備えている。ブラシ体２１は、棒体２ａと複数の弾性繊維２ｂで構成されている。
【００３１】
図１又は図２において、棒体２ａは、線体１の端部が挿入される穴２ｈを設けている。又、棒体２ａには、穴２ｈに貫通する雌ねじ２ｓを設けている。線体１の端部を穴２ｈに挿入して、ビス３で線体１を固定できる。ビス３を緩めることにより、線体１とブラシ体２１を分離できる。又、線体１の端部には、円環状の凹部１ａを設けている。そして、ビス３の先端部を凹部１ａに係止できる。このように、線体１を引き戻すときに、ブラシ体２１が離反しないように構成している。
【００３２】
図１又は図２において、複数の弾性繊維２ｂは、管路Ｃの内径Ｒより小さい外周ｄを形成するように、棒体２ａの外周に植設されている。第１実施形態による通線用具１０は、複数の弾性繊維２ｂを放射状に棒体２ａの外周に植設している。
【００３３】
図１又は図３において、第２実施形態による通線用具２０は、管路Ｃ内にケーブル（図示せず）を通すことができる。通線用具２０は、長尺の線体１とブラシ体２２を備えている。ブラシ体２２は、棒体２ａと複数の弾性繊維２ｂで構成されている。
【００３４】
図３において、複数の弾性繊維２ｂは、管路Ｃの内径Ｒより小さい外周ｄを形成するように、棒体２ａの外周に植設されている。第２実施形態による通線用具２０は、複数の弾性繊維２ｂを放射状に棒体２ａの外周に植設している。
【００３５】
図１又は図４において、第３施形態による通線用具３０は、管路Ｃ内にケーブル（図示せず）を通すことができる。通線用具３０は、長尺の線体１とブラシ体２３を備えている。ブラシ体２３は、棒体２ａと複数の弾性繊維２ｂで構成されている。
【００３６】
図４において、複数の弾性繊維２ｂは、管路Ｃの内径Ｒより小さい外周ｄを形成するように、棒体２ａの外周に植設されている。第３実施形態による通線用具３０は、複数の弾性繊維２ｂを進行方向に対して下り傾斜するように放射状に棒体２ａの外周に植設している。
【００３７】
次に、本発明による通線用具の作用を説明する。図１から図５において、線体１は、ピアノ線又はグラスファイバが考えられる。線体１は、軸方向に圧縮荷重が作用したときに、すなわち線体１の先端に負荷が生じたときに座屈変形し、線体１の基端を固定すれば、座屈変形が復帰する力で負荷に抗して管路Ｃ内を進行できる。
【００３８】
又、線体１は、小さな曲率半径で曲げモーメントが作用しても弾性復帰できるように、適宜に線径が設定されている。線体１は、所要の半径で巻回できるように、その線径を設定すれば、長尺の線体１をコンパクトに収容できて便利である（図５参照）。
【００３９】
図１又は図５において、管路Ｃが硬質ビニール管などストレート管の場合は、線体１だけで通線が容易である。線体１は、既存の線体による通線用具を利用することもできる。したがって、通線用具１０〜３０は、ブラシ体２１〜２３を線体１の端部に着脱自在に取り付けられる構成とした。
【００４０】
図１から図５において、弾性繊維２ｂは、合成樹脂製の弾性繊維が好ましい。図５に示されるように、管路Ｃの管路が狭くなったときに、すなわち、管路Ｃの湾曲部で弾性変形する長さと繊維径を有するように弾性繊維２ｂが設定されている。又、管路Ｃの管路が直線状になったときに、弾性繊維２ｂが復帰するように、弾性繊維２ｂの長さと繊維径が設定されている。
【００４１】
図１及び図２において、複数の弾性繊維２ｂは、管路Ｃの内径Ｒより小さい仮想の外周ｄを形成している。図１及び図３において、複数の弾性繊維２ｂは、管路Ｃの内径Ｒより小さい仮想の外周ｄを形成している。図１及び図４において、複数の弾性繊維２ｂは、管路Ｃの内径Ｒより小さい仮想の外周ｄを形成している。図２から図４に示された複数の弾性繊維の仮想の外周ｄは、管路Ｃの内径の８割程度が好ましい。
【００４２】
図５に示されるように、通線用具１０は、管路Ｃの内径Ｒより小さい外周ｄを形成するように、棒体２ａの外周に複数の弾性繊維２ｂを植設したブラシ体２１を備えているので、ブラシ体２１の軸中心が管路Ｃの軸中心に略沿って進行できる。ブラシ体２１の軸中心が管路Ｃの内壁に移動すると、複数の弾性繊維２ｂが反発するからである。
【００４３】
したがって、本発明による通線用具は、管路Ｃが小さな曲率半径で湾曲している場合であっても（図１又は図５参照）、ケーブルの通線作業が容易である。図５に示されるように、複数の弾性繊維２ｂが管路Ｃの内壁面に形成された複数の環状段差を乗り越えるので、通線作業が容易である。又、本発明による通線用具は、高圧エアー源を用いることなく、配線工事が簡易である。
【００４４】
図３の第２実施形態において、複数の弾性繊維２ｂの螺旋方向と同じ方向に、線体１を回転すれば、管路Ｃ内へのブラシ体２２の進行が容易となる。図４の第３実施形態において、ブラシ体２２は、管路Ｃ内への進行が容易であり、逆方向に容易に進行しない力が作用すると考えられる。
【００４５】
図１又は図５において、通線用具１０を管路Ｃの一方の管端から挿入して、他方の管端まで突出させる。そして、ブラシ体２１を取り外して、例えば光ファイバケーブルを線体１の先端部に繋ぎ、次に、通線用具を手繰り寄せることにより、光ファイバケーブルを敷設することができる。
【００４６】
本発明による通線用具に適用されるケーブルとしては、光ファイバケーブルを含み、電線ケーブルを含むことができる。電線ケーブルは、同軸ケーブルを含み、ツイストペアケーブルを含み、コードを含んでよい。フラットケーブル及びフレキシブルケーブルは、芯線数が少ないときに、本発明による通線用具が適用可能と考えられる。
【００４７】
本発明による通線用具は、管径が３ｃｍ〜５ｃｍの細い管路にも通線工事が可能である。又、本発明による通線用具は、通線工事と同時に管路内の異物を排除できるという付帯的なメリットもある。
【図面の簡単な説明】
【００４８】
【図１】本発明による通線用具の第１実施形態を示す斜視分解組立図である。
【図２】前記第１実施形態による通線用具の断面図である。
【図３】本発明による通線用具の第２実施形態を示す斜視分解組立図である。
【図４】本発明による通線用具の第３実施形態を示す斜視分解組立図である。
【図５】前記第１実施形態による通線用具の使用状態を示す断面図である。
【符号の説明】
【００４９】
１  線体
２ａ  棒体
２ｂ  弾性繊維
２ｈ  穴
１０・２０・３０  通線用具
２１・２２・２３  ブラシ体
【図１】
2009177880.tif 000003
【図２】
2009177880.tif 000004
【図３】
2009177880.tif 000005
【図４】
2009177880.tif 000006
【図５】
2009177880.tif 000007